(57)【特許請求の範囲】
【請求項１】
軸体が嵌入される嵌合穴を有する軸嵌合体を加熱して、前記嵌合穴を広げるために用いられる加熱装置において、
ベース台と、このベース台に回転可能に支持されて前記軸嵌合体が載置される回転テーブルと、この回転テーブル上に載置される前記軸嵌合体の外側に配置されて前記ベース台に支持されたハロゲンランプと、前記回転テーブルを回転駆動する駆動手段とを備え、前記回転テーブルを回転させながら、この回転テーブル上の前記軸嵌合体の外周面に前記ハロゲンランプの熱線を照射するようにし、
前記ベース台が、複数の脚部で支持される固定テーブルを備えており、かつ、前記固定テーブルと前記回転テーブルとの間に介設した設置部材に、外方へ向かって延びる延長支持体を固設し、この延長支持体上に前記ハロゲンランプを設置し、
前記延長支持体が長さ調整可能であるとともに、この延長支持体の下端部に前記固定テーブル上で転動可能なローラを付設したことを特徴とする軸嵌合体用加熱装置。
【請求項２】
請求項１の記載において、前記駆動手段を、前記延長支持体の下方に設置したことを特徴とする軸嵌合体用加熱装置。
【請求項３】
請求項１または２の記載において、前記回転テーブル上の前記軸嵌合体の外側に配置されて前記ハロゲンランプが取り付けられる取付枠と、この取付枠に一体化されて該軸嵌合体の上方に配置される載置枠と、この載置枠に取り付けられて該軸嵌合体の上面に熱線を照射するハロゲンランプとを備えていることを特徴とする軸嵌合体用加熱装置。
【発明の詳細な説明】
【０００１】
【発明の属する技術分野】
本発明は、回転軸や固定軸等の軸体を嵌合穴に嵌入して結合される歯車や軸受等の軸嵌合体に適用される加熱装置に係り、より詳しくは、軸嵌合体を加熱してその嵌合穴を広げることにより、軸体に対する軸嵌合体の装着や離脱を可能にするために用いられる、軸嵌合体用加熱装置に関する。
【０００２】
【従来の技術】
通常、軸体に所定の締め代をもって軸嵌合体を結合させる際には、まず軸嵌合体を加熱して軸体挿入用の嵌合穴を広げておき、軸体を挿入した後、この軸嵌合体を常温に戻して嵌合穴を収縮させることにより、軸体と軸嵌合体とを一体化させる。また、軸体に結合されている軸嵌合体を該軸体から分離させる際にも、軸嵌合体を加熱して嵌合穴を広げた状態とし、その状態で軸嵌合体を油圧ラム等により引き抜いて軸体から離脱させることが多い。
【０００３】
このように軸体に対して軸嵌合体を着脱させる際には、軸嵌合体を加熱する必要があり、かかる軸嵌合体用の加熱装置として、従来、ガスバーナー方式のものと電磁誘導方式のものとが知られている。すなわち、ガスバーナー方式の加熱装置は、軸嵌合体をガスバーナーで直接加熱するというものであり、また、電磁誘導方式の加熱装置は、電磁誘導作用を利用して軸嵌合体を発熱させるというものである。
【０００４】
【発明が解決しようとする課題】
上述したガスバーナー方式の加熱装置は、加熱時の温度制御が難しいため、軸嵌合体の加熱作業が熟練者に限定されてしまうという不具合があり、また、ガスバーナーの裸火を扱うため、エスカレータ設置現場などにおける軸嵌合体の加熱作業で適用することは安全上好ましくなかった。
【０００５】
一方、上述した電磁誘導方式の加熱装置は、重量物で搬送が容易でなく、かつ装置自体が高価であるという不具合があり、また、軸嵌合体を常温から所定温度に昇温させるまでに必要な加熱時間が長いため、作業時間が長引いてしまうという問題点があった。
【０００６】
本発明はこのような従来技術の課題に鑑みてなされたもので、その目的は、軸嵌合体を安全に短時間で加熱することができて取扱い性も良好な、軸嵌合体用加熱装置を提供することにある。
【０００７】
【課題を解決するための手段】
上述した目的を達成するため、本発明は、軸体が嵌入される嵌合穴を有する軸嵌合体を加熱して、前記嵌合穴を広げるために用いられる加熱装置において、ベース台と、このベース台に回転可能に支持されて前記軸嵌合体が載置される回転テーブルと、この回転テーブル上に載置される前記軸嵌合体の外側に配置されて前記ベース台に支持されたハロゲンランプと、前記回転テーブルを回転駆動する駆動手段とを備え、前記回転テーブルを回転させながら、この回転テーブル上の前記軸嵌合体の外周面に前記ハロゲンランプの熱線を照射するようにし、前記ベース台が、複数の脚部で支持される固定テーブルを備えており、かつ、前記固定テーブルと前記回転テーブルとの間に介設した設置部材に、外方へ向かって延びる延長支持体を固設し、この延長支持体上に前記ハロゲンランプを設置し、前記延長支持体が長さ調整可能であるとともに、この延長支持体の下端部に前記固定テーブル上で転動可能なローラを付設した。
【０００８】
このような構成の加熱装置は、ハロゲンランプから照射される熱線によって、軸嵌合体の全外周を略均一に短時間で加熱することができるため、作業効率が良好となり、また、裸火による加熱ではないので安全性も高い。しかも、ハロゲンランプの温度調節によって加熱時の温度制御が行えるため、熟練者でなくとも軸嵌合体の加熱作業が簡単に行える。また、ベース台が、複数の脚部で支持される固定テーブルを備えており、かつ、固定テーブルと回転テーブルとの間に介設した設置部材に、外方へ向かって延びる延長支持体を固設し、この延長支持体上に前記ハロゲンランプを設置したことにより、構成が簡素で取扱い性も良好な加熱装置が比較的安価に実現できる。さらに、延長支持体が長さ調整可能であるとともに、この延長支持体の下端部に前記固定テーブル上で転動可能なローラを付設したことにより、軸嵌合体の外径に応じてハロゲンランプを所望の位置に簡単に設置できる。
【０００９】
また、かかる構成において、前記延長支持体の下方に前記駆動手段を設置しておけば、この延長支持体を、駆動力を伝達するチェーンやスプロケットを覆うカバーとして機能させることができるため、好ましい。
【００１０】
また、上述した加熱装置が、前記回転テーブル上の前記軸嵌合体の外側に配置されて前記ハロゲンランプが取り付けられる取付枠と、この取付枠に一体化されて該軸嵌合体の上方に配置される載置枠と、この載置枠に取り付けられて該軸嵌合体の上面に熱線を照射するハロゲンランプとを備えていれば、軸嵌合体の外周面だけでなく上面も略均一に加熱することができるため、加熱時間を一層短縮することができて好ましい。
【００１１】
【発明の実施の形態】
本発明の一実施形態例を図面を参照しつつ説明すると、図１は本実施形態例に係る軸嵌合体用加熱装置を上部のハロゲンランプを取り外して示す一部断面斜視図、図２は該加熱装置の側面図である。
【００１２】
これらの図において、符号１で総括的に示す加熱装置は、歯車等の軸嵌合体３を加熱して軸体挿入用の嵌合穴３Ａを広げるために用いられる装置である。この加熱装置１は、固定テーブル２Ａや脚部２Ｂを備えたベース台２と、このベース台２に回転可能に支持された状態で固定テーブル２Ａの上方に配置され、加熱対象となる軸嵌合体３が載置される回転テーブル４と、固定テーブル２Ａ上の中央部にボルト１１を介して固定され、回転テーブル４の回転軸１０を軸支している設置部材５と、この設置部材５の外周部に取り付けられて外方へ向かって延びる延長支持体６，６Ａと、回転テーブル４上の軸嵌合体３に熱線を照射するためのハロゲンランプ７，７Ａおよびハロゲンランプ７０，７０Ａと、回転テーブル４を回転駆動するための駆動装置８やチェーン１４等の駆動手段とによって概略構成されている。ただし、横向きのハロゲンランプ７，７Ａは、各延長支持体６，６Ａ上に取付枠１８を介して取り付けられて軸嵌合体３の外側に位置しており、下向きのハロゲンランプ７０，７０Ａは、取付枠１８にねじ止めされている載置枠１９に取り付けられて軸嵌合体３の上方に位置している。
【００１３】
ベース台２の固定テーブル２Ａは、板厚１５ｍｍで直径が約６８０ｍｍのアルミニウム製の円板である。この固定テーブル２Ａには４本の脚部２Ｂが締結されていて、これらの脚部２Ｂが固定テーブル２Ａを水平な姿勢に保持する。各脚部２Ｂの長さは、このベース台２を床面等の平坦面Ｆ上に設置したときに固定テーブル２Ａの下面の高さが約１６０ｍｍとなるように設定されている。また、固定テーブル２Ａを安定した状態で保持するために、各脚部２Ｂの下端部には台座が取り付けてある。
【００１４】
回転テーブル４は、上回転板４Ａと下回転板４Ｂを複数個のディスタントピース４Ｃで連結して構成され、両回転板４Ａ，４Ｂの間には空気層が形成されている。この回転テーブル４の中央部には、上方へ突出する円筒部材９と下方へ突出する回転軸１０とが一体化されている。円筒部材９は、嵌合穴３Ａに挿入して軸嵌合体３の位置決めを行なうためのものである。また、回転軸１０は、図示せぬベアリングを介して設置部材５に回転自在に軸支されており、この回転軸１０の下端部には従動側スプロケット１２が固定されている。
【００１５】
設置部材５は、固定テーブル２Ａの上面との間に間隙Ｇが形成されるように、４本のボルト１１によって固定テーブル２Ａの中央部に固定されている。設置部材５の外周部には、取付リング体１５が係止具１５Ａを用いて締結されており、この取付リング体１５に付設した取付片１５Ｂにボルト等を締結させることによって、各延長支持体６，６Ａが取付リング体１５に取り付けられている。これらの延長支持体６，６Ａには、取付枠１８を介してハロゲンランプ７，７Ａが設置されているとともに、載置枠１９を介してハロゲンランプ７０，７０Ａが設置されている。各延長支持体６，６Ａは長さ調整が可能であって、先端部の下端側に支え脚１６が固定されている。また、各支え脚１６の下端側には、固定テーブル２Ａ上で転動可能なローラ１７が取り付けられている。
【００１６】
駆動装置８は電動機であって、回転テーブル４を回転させる駆動源である。この駆動装置８は、固定テーブル２Ａの下面側に固設されていて延長支持体６Ａの下方に位置し、駆動装置８の出力軸に固定した駆動側スプロケット１３を固定テーブル２Ａの上面側に突出させている。この駆動側スプロケット１３と、回転軸１０に固定された従動側スプロケット１２とは、チェーン１４を介して連結されており、固定テーブル２Ａと設置部材５との間の前記間隙Ｇに、これら両スプロケット１２，１３およびチェーン１４が配設されている。
【００１７】
各ハロゲンランプ７，７Ａ，７０，７０Ａは、すべて同等の構造であり、内部にタングステン線からなるフィラメントを配置してハロゲンガスを封入してなるガラス直管２０と、内面全体に金メッキが施されている反射鏡２１と、これらガラス直管２０および反射鏡２１を収納する本体ケース２２と、この本体ケース２２を覆うように設けられた熱遮断カバー２３と、本体ケース２２の長手方向両端に設けられた持ち運び用のハンドル２４とを備えている。ハロゲンランプ７，７Ａは、延長支持体６，６Ａに固定した取付枠１８に取り付けられている。具体的には、各ハロゲンランプ７，７Ａの本体ケース２２の前面側に形成されている長方形状の照射開口２２Ａの縁部に沿って、同形状の取付枠１８がねじ止めされている。また、ハロゲンランプ７０，７０Ａを取り付けている載置枠１９は、垂直部材１９Ａと水平部材１９Ｂとをねじ止めして組み立てられている。この載置枠１９は、垂直部材１９Ａを取付枠１８にねじ止めすることで延長支持体６，６Ａ上に支持されて、水平部材１９Ｂが回転テーブル４上の軸嵌合体３の上方に設置される。なお、水平部材１９Ｂは、各ハロゲンランプ７０，７０Ａの照射開口２２Ａの縁部にねじ止めされている。
【００１８】
上述の如くに構成される加熱装置１を使用する際には、まず軸嵌合体３を回転テーブル４上に載置して、駆動装置８を作動させることにより回転テーブル４を回転状態となした後、ハロゲンランプ７，７Ａ，７０，７０Ａを点灯させる。これにより、回転テーブル４上の軸嵌合体３は、その全外周がハロゲンランプ７，７Ａによって略均一に加熱されることとなる。また、軸嵌合体３の上面も、ハロゲンランプ７０，７０Ａによって略均一に加熱されることとなる。したがって、軸嵌合体３を短時間のうちに、嵌合穴３Ａの大径化に必要な所定温度まで加熱することができる。また、裸火による加熱ではなく加熱時の温度制御も比較的容易なため、熟練者でなくとも安全に効率よく作業が行える。なお、ハロゲンランプ７０，７０Ａを省略してハロゲンランプ７，７Ａのみによる加熱であっても、電磁誘導方式の加熱装置と比べれば大幅に加熱時間の短縮化が図れる。
【００１９】
また、本実施形態例においては、延長支持体６，６Ａが長さ調整可能であるとともに、各延長支持体６，６Ａの下端部に固定テーブル２Ａ上で転動可能なローラ１７が取り付けてあるので、加熱対象となる軸嵌合体３の外径に応じてハロゲンランプ７，７Ａを所望の位置に簡単に設置することができる。しかも、本実施形態例では延長支持体６Ａの下方に駆動装置８を設置して、この延長支持体６Ａを駆動側スプロケット１３やチェーン１４を覆うカバーとして機能させているので、構成を複雑化することなく駆動系が保護されていて、回転駆動力の伝達が常に円滑に行えるようになっている。
【００２０】
【発明の効果】
本発明は以上説明したような形態で実施され、以下に記載されるような効果を奏する。
【００２１】
軸嵌合体を回転テーブル上に載置して、この回転テーブルを回転させながら軸嵌合体の外周面にハロゲンランプの熱線を照射するという軸嵌合体用加熱装置なので、回転テーブル上の軸嵌合体の全外周を略均一に短時間で加熱することができて、加熱作業を安全に効率よく行うことができる。また、構成が複雑でなく取扱い性も良好であるという利点がある。また、ハロゲンランプの温度調節により加熱時の温度制御が行えるため、熟練者でなくとも軸嵌合体の加熱作業が簡単に行える。また、ベース台が、複数の脚部で支持される固定テーブルを備えており、かつ、固定テーブルと回転テーブルとの間に介設した設置部材に、外方へ向かって延びる延長支持体を固設し、この延長支持体上に前記ハロゲンランプを設置したことにより、構成が簡素で取扱い性も良好な加熱装置が比較的安価に実現できる。さらに、延長支持体が長さ調整可能であるとともに、この延長支持体の下端部に前記固定テーブル上で転動可能なローラを付設したことにより、軸嵌合体の外径に応じてハロゲンランプを所望の位置に簡単に設置できる。
【図面の簡単な説明】
【図１】本発明の一実施形態例に係る加熱装置の一部断面斜視図である。
【図２】該加熱装置の側面図である。
【符号の説明】
１  軸嵌合体用加熱装置
２  ベース台
２Ａ  固定テーブル
２Ｂ  脚部
３  軸嵌合体
３Ａ  嵌合穴
４  回転テーブル
５  設置部材
６，６Ａ  延長支持体
７，７Ａ，７０，７０Ａ  ハロゲンランプ
８  駆動装置
１０  回転軸
１２  従動側スプロケット
１３  駆動側スプロケット
１４  チェーン
１５  取付リング体
１７  ローラ
１８  取付枠
１９  載置枠
２０  ガラス直管
２１  反射鏡
【図１】
0003830729.tif 000002
【図２】
0003830729.tif 000003